(57)【要約】      （修正有）【課題】折り曲げられた状態を維持できるフレキシブル基板を提供する。【解決手段】素体１２は、可撓性を有するシートである。信号線は、素体１２に設けられている導体である。素体１２は、曲線からなる谷線Ｌ２１及び山線Ｌ２２において折り曲げられている。【選択図】図１
0003188816.tif 000002
【実用新案登録請求の範囲】
【請求項１】
可撓性を有するシート状の素体と、
前記誘電体素体に設けられている導体と、
を備えており、
前記素体は、曲線からなる折れ線又は互いに平行ではない２本の直線を含む２本以上の直線からなる折れ線において折り曲げられていること、
を特徴とするフレキシブル基板。
【請求項２】
前記素体は、熱可塑性樹脂により作製されていること、
を特徴とする請求項１に記載のフレキシブル基板。
【請求項３】
前記素体には、孔が設けられており、
前記折れ線は、前記孔により分断されていること、
を特徴とする請求項１又は請求項２のいずれかに記載のフレキシブル基板。
【考案の詳細な説明】
【技術分野】
【０００１】
本考案は、フレキシブル基板に関し、より特定的には、可撓性を有するフレキシブル基板に関する。
【背景技術】
【０００２】
従来のフレキシブル基板に関する考案としては、例えば、特許文献１に記載の高周波信号線路が知られている。該高周波信号線路は、誘電体素体、信号線及び２つのグランド導体を備えている。誘電体素体は、可撓性材料からなる複数の誘電体シートが積層されて構成されおり、所定方向に直線状に延在している。信号線は、誘電体シート上に設けられている線状導体である。２つのグランド導体は、誘電体シート上に設けられており、積層方向において信号線を挟んでいる。これにより、信号線及び２つのグランド導体は、ストリップライン構造をなしている。該高周波信号線路は、例えば、電子機器内の２つの回路基板の接続に用いられ、電子機器内において折り曲げて用いられる。
【０００３】
しかしながら、特許文献１に記載の高周波信号線路は、誘電体素体に復元力が生じるので、誘電体素体が折り曲げられた状態を維持することが困難であるという問題を有する。
【先行技術文献】
【特許文献】
【０００４】
【特許文献１】国際公開第２０１２／０７３５９１号パンフレット
【考案の概要】
【考案が解決しようとする課題】
【０００５】
そこで、本考案の目的は、折り曲げられた状態を維持できるフレキシブル基板を提供することである。
【課題を解決するための手段】
【０００６】
本考案の一形態に係るフレキシブル基板は、可撓性を有するシート状の誘電体素体と、前記誘電体素体に設けられている導体と、を備えており、前記誘電体素体は、曲線からなる折れ線又は互いに平行ではない２本の直線を含む２本以上の直線からなる折れ線において折り曲げられていること、を特徴とする。
【考案の効果】
【０００７】
本考案によれば、折り曲げられた状態を維持できる。
【図面の簡単な説明】
【０００８】
【図１】第１の実施形態に係るフレキシブル基板の外観斜視図である。
【図２】図１のフレキシブル基板をｚ軸方向から平面視した図である。
【図３】図１のフレキシブル基板の分解図である。
【図４】折り曲げ工程におけるフレキシブル基板及び加圧ツールの斜視図である。
【図５】比較例に係るフレキシブル基板の外観斜視図である。
【図６】第１の変形例に係るフレキシブル基板の外観斜視図である。
【図７】図６のフレキシブル基板をｚ軸方向から平面視した図である。
【図８】第２の変形例に係るフレキシブル基板の外観斜視図である。
【図９】図８のフレキシブル基板をｚ軸方向から平面視した図である。
【図１０】第３の変形例に係るフレキシブル基板の外観斜視図である。
【図１１】図１０のフレキシブル基板をｚ軸方向から平面視した図である。
【図１２】第４の変形例に係るフレキシブル基板の外観斜視図である。
【図１３】図１２のフレキシブル基板をｚ軸方向から平面視した図である。
【図１４】第５の変形例に係るフレキシブル基板の外観斜視図である。
【図１５】図１４のフレキシブル基板をｚ軸方向から平面視した図である。
【図１６】第６の変形例に係るフレキシブル基板の外観斜視図である。
【図１７】図１６のフレキシブル基板をｚ軸方向から平面視した図である。
【考案を実施するための形態】
【０００９】
以下に、本考案の実施形態に係るフレキシブル基板について説明する。
【００１０】
（フレキシブル基板の構成）
以下に、本考案の一実施形態に係るフレキシブル基板１０について図面を参照しながら説明する。図１は、第１の実施形態に係るフレキシブル基板１０の外観斜視図である。図２は、図１のフレキシブル基板１０をｚ軸方向から平面視した図である。図２では、フレキシブル基板１０は折り曲げられていない。図３は、図１のフレキシブル基板１０の分解図である。図３では、フレキシブル基板１０の要部の構成のみを記載し、要部以外の構成については省略した。以下では、フレキシブル基板１０の積層方向をｚ軸方向と定義する。また、ｚ軸方向から平面視したときに、フレキシブル基板１０の長辺が延在している方向をｘ軸方向と定義し、フレキシブル基板１０の短辺が延在している方向をｙ軸方向と定義する。
【００１１】
フレキシブル基板１０は、例えば、携帯電話等の電子機器内において、アンテナが設けられた送受信回路である。フレキシブル基板１０は、図１ないし図３に示すように、誘電体素体１２、アンテナ部７０、接続部７２及び信号線７４を備えている。
【００１２】
誘電体素体１２は、図１に示すように、可撓性を有する矩形状のシートであり、複数種類の材料からなる複数の絶縁体層が積層されて構成されている。本実施形態では、誘電体素体１２は、図２に示すように、保護層１４及び誘電体シート１８ａ，１８ｂがｚ軸方向の正方向側から負方向側へとこの順に積層されて構成されている積層体である。以下では、誘電体素体１２のｚ軸方向の正方向側の主面を表面と称し、誘電体素体１２のｚ軸方向の負方向側の主面を裏面と称す。
【００１３】
誘電体素体１２は、図１及び図２に示すように、２箇所の折れ線において折り曲げられることにより階段状をなしている。より詳細には、図１及び図２に示すように、誘電体素体１２のｘ軸方向の中央近傍においてｙ軸方向に延在している谷線Ｌ２１及び山線Ｌ２２において折り曲げられる。谷線Ｌ２１は、誘電体素体１２の表面が谷折りされる線であり、誘電体素体１２のｙ軸方向の正方向側の長辺とｙ軸方向の負方向側の長辺とを繋いでいる。また、谷線Ｌ２１は、ｚ軸方向から平面視したときに、図１及び図２に示すように、ｘ軸方向の負方向側に向かって突出するように湾曲した曲線（円弧）からなる。山線Ｌ２２は、誘電体素体１２の表面が山折りされる線であり、誘電体素体１２のｙ軸方向の正方向側の長辺とｙ軸方向の負方向側の長辺とを繋いでいる。また、山線Ｌ２２は、ｚ軸方向から平面視したときに、図１及び図２に示すように、ｘ軸方向の負方向側に向かって突出するように湾曲した曲線（円弧）からなる。谷線Ｌ２１は、山線Ｌ２２よりもｘ軸方向の正方向側に位置している。
【００１４】
誘電体シート１８ａ，１８ｂは、図３に示すように、ｚ軸方向から平面視したときに、誘電体素体１２と同じ形状をなしている。誘電体シート１８ａ，１８ｂは、ポリイミドや液晶ポリマ等の可撓性を有する熱可塑性樹脂により作製されている。以下では、誘電体シート１８ａ，１８ｂのｚ軸方向の正方向側の主面を表面と称し、誘電体シート１８ａ，１８ｂのｚ軸方向の負方向側の主面を裏面と称す。
【００１５】
アンテナ部７０は、誘電体シート１８ａの表面に形成されており、誘電体シート１８ａのｘ軸方向の正方向側の短辺近傍に設けられている。アンテナ部７０は、例えば、渦巻状のコイルパターン等によって構成されるアンテナである。
【００１６】
接続部７２は、誘電体シート１８ａの表面に形成されており、誘電体シート１８ａのｘ軸方向の負方向側の短辺近傍に設けられている。接続部７２は、例えば、コネクタが実装されるランド電極である。
【００１７】
信号線７４は、図３に示すように、高周波信号が伝送され、誘電体素体１２内に設けられている線状の導体である。本実施形態では、信号線７４は、誘電体シート１８ｂの表面上に形成されており、図示しないビアホール導体を介して、アンテナ部７０と接続部７２とを接続している。また、信号線７４は、谷線Ｌ２１と山線Ｌ２２と交差している。信号線７４は、例えば、銀や銅を主成分とする比抵抗の小さな金属材料により作製されている。
【００１８】
保護層１４は、誘電体素体１２の表面上に設けられている絶縁体層であり、誘電体シート１８ａの表面の略全面を覆っている。保護層１４には、開口Ｈｉが設けられている。接続部７２は、開口Ｈｉを介して外部に露出している。保護層１４は、レジスト材により作製されており、例えば、エポキシ樹脂により作製されている。
【００１９】
（フレキシブル基板の製造方法）
以下に、フレキシブル基板１０の製造方法について図面を参照しながら説明する。図４は、折り曲げ工程におけるフレキシブル基板１０及び加圧ツールＴ１，Ｔ２の斜視図である。以下では、一つのフレキシブル基板１０が作製される場合を例にとって説明するが、実際には、大判の誘電体シートが積層及びカットされることにより、同時に複数のフレキシブル基板１０が作製される。
【００２０】
まず、一方の主面の全面に銅箔（金属膜）が形成された熱可塑性樹脂からなる誘電体シート１８ａ，１８ｂを準備する。具体的には、誘電体シート１８ａ，１８ｂの一方の主面に銅箔を張り付ける。更に、誘電体シート１８ａ，１８ｂの銅箔の表面に、例えば、防錆のための亜鉛鍍金を施して、平滑化する。誘電体シート１８ａ，１８ｂは、液晶ポリマである。また、銅箔の厚さは、１０μｍ〜２０μｍである。
【００２１】
次に、誘電体シート１８ａの表面上に形成された銅箔をパターニングすることにより、図３に示すように、アンテナ部７０及び接続部７２を誘電体シート１８ａの表面上に形成する。具体的には、誘電体シート１８ａの表面の銅箔上に、図３に示すアンテナ部７０及び接続部７２と同じ形状のレジストを印刷する。そして、銅箔に対してエッチング処理を施すことにより、レジストにより覆われていない部分の銅箔を除去する。その後、洗浄液を吹き付けてレジストを除去する。これにより、図３に示すような、アンテナ部７０及び接続部７２が誘電体シート１８ａの表面上にフォトリソグラフィ工程により形成される。なお、本工程において、アンテナ部７０及び接続部７２以外の信号線やグランド導体等の導体を形成してもよい。
【００２２】
次に、図３に示すように、信号線７４を誘電体シート１８ｂの表面上に形成する。なお、信号線７４の形成工程は、アンテナ部７０及び接続部７２の形成工程と同じであるので説明を省略する。なお、本工程において、信号線７４以外の信号線やグランド導体等の導体を形成してもよい。
【００２３】
次に、誘電体シート１８ａのビアホール導体（図示せず）が形成される位置にレーザービームを照射することによって貫通孔を形成する。そして、貫通孔に導電性ペーストを充填し、ビアホール導体（図示せず）を形成する。
【００２４】
次に、誘電体シート１８ａ，１８ｂをｚ軸方向の正方向側から負方向側へとこの順に積層及び圧着する。圧着時には、誘電体シート１８ａ，１８ｂに対して加熱処理及び加圧処理を施す。これにより、誘電体シート１８ａと誘電体シート１８ｂとが融着される。
【００２５】
次に、図３に示すように、樹脂（レジスト）ペーストをスクリーン印刷により塗布することにより、誘電体シート１８ａの表面上に保護層１４を形成する。
【００２６】
次に、図４に示すように、平板状のフレキシブル基板１０を加圧ツールＴ１，Ｔ２によりｚ軸方向の両側から挟むことによって、フレキシブル基板１０を折り曲げる。より詳細には、加圧ツールＴ１は、フレキシブル基板１０の表面に接触する。加圧ツールＴ１がフレキシブル基板１０に接触する接触面は、階段状をなしている。また、加圧ツールＴ２は、フレキシブル基板１０の裏面に接触する。加圧ツールＴ２がフレキシブル基板１０に接触する接触面は、階段状をなしている。加圧ツールＴ１，Ｔ２はフレキシブル基板１０の山線Ｌ２２と谷線Ｌ２１の形状に対応するように、ｚ軸方向から平面視したときに、ｘ軸方向の負方向側に向かって突出するように湾曲した曲線（円弧）部分を有する。加圧ツールＴ１，Ｔ２には、ヒーターが内蔵されている。加圧ツールＴ１，Ｔ２は、フレキシブル基板１０を挟んでいる間において加熱される。フレキシブル基板１０の誘電体シート１８ａ，１８ｂは、熱可塑性樹脂により作製されているので、加熱によって軟化する。その結果、フレキシブル基板１０は、加圧ツールＴ１，Ｔ２の接触面に倣った形状に加工される。以上の工程により、図１に示すフレキシブル基板１０が得られる。
【００２７】
（効果）
以上のように構成されたフレキシブル基板１０によれば、折り曲げられた状態を維持することができる。図５は、比較例に係るフレキシブル基板１００の外観斜視図である。
【００２８】
比較例に係るフレキシブル基板１００は、図５に示すように、谷線Ｌ１０１及び山線Ｌ１０２において折り曲げられている。谷線Ｌ１０１及び山線Ｌ１０２は、ｙ軸方向に延在する直線である。そのため、フレキシブル基板１００にｘ軸方向から押圧されるなどの理由によりｘ軸方向に復元力が発生すると、フレキシブル基板１００は平板状に戻ろうとする。そのため、比較例に係るフレキシブル基板１００においては、この復元力によって平板状に戻ってしまうおそれがある。
【００２９】
そこで、フレキシブル基板１０では、誘電体素体１２は、曲線からなる谷線Ｌ２１及び山線Ｌ２２において折り曲げられている。これにより、以下に説明するように、フレキシブル基板１０に復元力が発生したとしても、フレキシブル基板１０が平板状に戻ることが抑制される。
【００３０】
谷線Ｌ２１が円弧をなしている場合に、フレキシブル基板１０を平板状に変形させるためには、谷線Ｌ２１と山線Ｌ２２とに挟まれた領域をｙ軸方向に延ばす必要がある。すなわち、誘電体素体１２において谷線Ｌ２１と山線Ｌ２２とに挟まれた領域をｙ軸方向の両側に引っ張る力が必要である。
【００３１】
ここで、谷線Ｌ２１では、谷線Ｌ２１の法線方向に向かって復元力Ｆ１，Ｆ２が発生する。復元力Ｆ１は、谷線Ｌ２１のｙ軸方向の中心よりもｙ軸方向の正方向側の位置において発生する復元力である。復元力Ｆ２は、谷線Ｌ２１のｙ軸方向の中心よりもｙ軸方向の負方向側の位置において発生する復元力である。復元力Ｆ１は、ｙ軸成分であるＦ１ｓｉｎθとｘ軸成分である−Ｆ１ｃｏｓθとに分解することができる。同様に、復元力Ｆ２は、ｙ軸成分である−Ｆ２ｓｉｎθとｘ軸成分である−Ｆ２ｃｏｓθとに分解することができる。θは、復元力Ｆ１，Ｆ２がｘ軸となす鈍角である。このように、復元力Ｆ１，Ｆ２によって、誘電体素体１２において谷線Ｌ２１と山線Ｌ２２とに挟まれた領域は、ｙ軸方向の両側に引っ張られる。ただし、復元力Ｆ１，Ｆ２によってｙ軸方向の両側に引っ張られる力は小さい。そのため、誘電体素体１２において谷線Ｌ２１と山線Ｌ２２とに挟まれた領域を十分に伸ばすことができない。そのため、フレキシブル基板１０は、復元力によっては平板状に戻りにくい。
【００３２】
また、山線Ｌ２２が円弧をなしている場合に、フレキシブル基板１０を平板状に変形させるためには、谷線Ｌ２１と山線Ｌ２２とに挟まれた領域をｙ軸方向に縮ませる必要がある。すなわち、誘電体素体１２において谷線Ｌ２１と山線Ｌ２２とに挟まれた領域をｙ軸方向に圧縮する力が必要である。
【００３３】
ここで、山線Ｌ２２では、山線Ｌ２２の法線方向に向かって復元力Ｆ３，Ｆ４が発生する。復元力Ｆ３は、山線Ｌ２２のｙ軸方向の中心よりもｙ軸方向の正方向側の位置において発生する復元力である。復元力Ｆ４は、山線Ｌ２２のｙ軸方向の中心よりもｙ軸方向の負方向側の位置において発生する復元力である。復元力Ｆ３は、ｙ軸成分である−Ｆ３ｓｉｎθとｘ軸成分であるＦ３ｃｏｓθとに分解することができる。同様に、復元力Ｆ４は、ｙ軸成分である−Ｆ４ｓｉｎθとｘ軸成分であるＦ４ｃｏｓθとに分解することができる。θは、復元力Ｆ３，Ｆ４とｘ軸とがなす鈍角である。このように、復元力Ｆ３，Ｆ４によって、誘電体素体１２において谷線Ｌ２１と山線Ｌ２２とに挟まれた領域は、ｙ軸方向に圧縮される。ただし、復元力Ｆ３，Ｆ４によってｙ軸方向に圧縮される力は小さい。そのため、誘電体素体１２において谷線Ｌ２１と山線Ｌ２２とに挟まれた領域を十分に縮むことができない。そのため、フレキシブル基板１０は、復元力によっては平板状に戻りにくい。
【００３４】
以上のように、フレキシブル基板１０が折り曲げられた状態が維持されることによって、フレキシブル基板１０の谷線Ｌ２１及び山線Ｌ２２における信号線７４の特性インピーダンスが変動することが抑制される。
【００３５】
また、フレキシブル基板１０では、誘電体素体１２は、熱可塑性樹脂により作製されている。これにより、図４に示す折り曲げ工程において、誘電体素体１２を加熱によって軟化させることができる。よって、軟化した誘電体素体１２を加圧ツールＴ１，Ｔ２によって加圧することで、誘電体素体１２の谷線Ｌ２１付近及び山線Ｌ２２付近に伸びを発生させることができる。よって、図１に示すように、曲線からなる谷線Ｌ２１及び山線Ｌ２２においてフレキシブル基板１０を折り曲げることが可能となる。
【００３６】
（第１の変形例）
以下に、第１の変形例に係るフレキシブル基板１０ａについて図面を参照しながら説明する。図６は、第１の変形例に係るフレキシブル基板１０ａの外観斜視図である。図７は、図６のフレキシブル基板１０ａをｚ軸方向から平面視した図である。なお、図７では、フレキシブル基板１０ａは折り曲げられていない。
【００３７】
フレキシブル基板１０ａは、谷線Ｌ２１及び山線Ｌ２２の形状においてフレキシブル基板１０と相違する。よって、以下では、谷線Ｌ２１及び山線Ｌ２２について説明し、他の構成の説明については省略する。
【００３８】
谷線Ｌ２１は、互いに平行ではない２本の直線ａ１，ａ２が接続されてなる。直線ａ１は、ｙ軸方向の正方向側に行くにしたがってｘ軸方向の正方向側に進むようにｙ軸方向に対して傾斜している。直線ａ２は、ｙ軸方向の負方向側に行くにしたがってｘ軸方向の正方向側に進むようにｙ軸方向に対して傾斜している。
【００３９】
山線Ｌ２２は、互いに平行ではない２本の直線ａ１１，ａ１２が接続されてなる。直線ａ１１は、ｙ軸方向の正方向側に行くにしたがってｘ軸方向の正方向側に進むようにｙ軸方向に対して傾斜している。直線ａ１２は、ｙ軸方向の負方向側に行くにしたがってｘ軸方向の正方向側に進むようにｙ軸方向に対して傾斜している。
【００４０】
以上のように構成されたフレキシブル基板１０ａでは、誘電体素体１２は、曲線からなる谷線Ｌ２１及び山線Ｌ２２において折り曲げられている。これにより、以下に説明するように、フレキシブル基板１０ａに復元力が発生したとしても、フレキシブル基板１０ａが平板状に戻ることが抑制される。
【００４１】
谷線Ｌ２１が互いに平行ではない直線ａ１，ａ２からなる場合に、フレキシブル基板１０を平板状に変形させるためには、直線ａ１と直線ａ２とにより形成される角と直線ａ１１と直線ａ１２とにより形成される角とを結んだ部分（以下、接合部分Ｐと称す）をｙ軸方向に延ばす必要がある。すなわち、誘電体素体１２において接合部分Ｐをｙ軸方向の両側に引っ張る力が必要である。
【００４２】
ここで、谷線Ｌ２１では、谷線Ｌ２１の法線方向に向かって復元力Ｆ１，Ｆ２が発生する。復元力Ｆ１は、谷線Ｌ２１のｙ軸方向の中心よりもｙ軸方向の正方向側の位置において発生する復元力である。復元力Ｆ２は、谷線Ｌ２１のｙ軸方向の中心よりもｙ軸方向の負方向側の位置において発生する復元力である。復元力Ｆ１は、ｙ軸成分であるＦ１ｓｉｎθとｘ軸成分である−Ｆ１ｃｏｓθとに分解することができる。同様に、復元力Ｆ２は、ｙ軸成分である−Ｆ２ｓｉｎθとｘ軸成分である−Ｆ２ｃｏｓθとに分解することができる。このように、復元力Ｆ１，Ｆ２によって、接合部分Ｐは、ｙ軸方向の両側に引っ張られる。ただし、復元力Ｆ１，Ｆ２によってｙ軸方向の両側に引っ張られる力は小さい。そのため、接合部分Ｐを十分に伸ばすことができない。そのため、フレキシブル基板１０は、復元力によっては平板状に戻りにくい。
【００４３】
山線Ｌ２２が互いに平行ではない直線ａ１１，ａ１２からなる場合に、フレキシブル基板１０を平板状に変形させるためには、接合部分Ｐをｙ軸方向に縮ませる必要がある。すなわち、誘電体素体１２において接合部分Ｐをｙ軸方向に圧縮する力が必要である。
【００４４】
ここで、山線Ｌ２２では、山線Ｌ２２の法線方向に向かって復元力Ｆ３，Ｆ４が発生する。復元力Ｆ３は、山線Ｌ２２のｙ軸方向の中心よりもｙ軸方向の正方向側の位置において発生する復元力である。復元力Ｆ４は、山線Ｌ２２のｙ軸方向の中心よりもｙ軸方向の負方向側の位置において発生する復元力である。復元力Ｆ３は、ｙ軸成分であるＦ３ｓｉｎθとｘ軸成分であるＦ３ｃｏｓθとに分解することができる。同様に、復元力Ｆ４は、ｙ軸成分である−Ｆ４ｓｉｎθとｘ軸成分であるＦ４ｃｏｓθとに分解することができる。このように、復元力Ｆ３，Ｆ４によって、接合部分Ｐは、ｙ軸方向に圧縮される。ただし、復元力Ｆ３，Ｆ４によってｙ軸方向に圧縮される力は小さい。そのため、接合部分Ｐを十分に縮ませることができない。そのため、フレキシブル基板１０は、復元力によっては平板状に戻りにくい。
【００４５】
（第２の変形例）
以下に、第２の変形例に係るフレキシブル基板１０ｂについて図面を参照しながら説明する。図８は、第２の変形例に係るフレキシブル基板１０ｂの外観斜視図である。図９は、図８のフレキシブル基板１０ｂをｚ軸方向から平面視した図である。なお、図９では、フレキシブル基板１０ｂは折り曲げられていない。
【００４６】
フレキシブル基板１０ｂは、谷線Ｌ２１及び山線Ｌ２２の形状においてフレキシブル基板１０ａと相違する。よって、以下では、谷線Ｌ２１及び山線Ｌ２２について説明し、他の構成の説明については省略する。
【００４７】
谷線Ｌ２１は、４本の直線ａ１〜ａ４がこの順に接続されてなる。直線ａ１，ａ３は、ｙ軸方向の正方向側に行くにしたがってｘ軸方向の正方向側に進むようにｙ軸方向に対して傾斜している。直線ａ２，ａ４は、ｙ軸方向の負方向側に行くにしたがってｘ軸方向の正方向側に進むようにｙ軸方向に対して傾斜している。すなわち、谷線Ｌ２１は、ジグザグ状をなしている。
【００４８】
山線Ｌ２２は、４本の直線ａ１１〜ａ１４がこの順に接続されてなる。直線ａ１１，ａ１３は、ｙ軸方向の正方向側に行くにしたがってｘ軸方向の正方向側に進むようにｙ軸方向に対して傾斜している。直線ａ１２，ａ１４は、ｙ軸方向の負方向側に行くにしたがってｘ軸方向の正方向側に進むようにｙ軸方向に対して傾斜している。すなわち、山線Ｌ２２は、ジグザグ状をなしている。
【００４９】
以上のようなフレキシブル基板１０ｂにおいても、フレキシブル基板１０ａと同様に、折り曲げられた状態を維持することができる。
【００５０】
（第３の変形例）
以下に、第３の変形例に係るフレキシブル基板１０ｃについて図面を参照しながら説明する。図１０は、第３の変形例に係るフレキシブル基板１０ｃの外観斜視図である。図１１は、図１０のフレキシブル基板１０ｃをｚ軸方向から平面視した図である。なお、図１１では、フレキシブル基板１０ｃは折り曲げられていない。
【００５１】
フレキシブル基板１０ｃは、谷線Ｌ２１及び山線Ｌ２２の形状においてフレキシブル基板１０と相違する。よって、以下では、谷線Ｌ２１及び山線Ｌ２２について説明し、他の構成の説明については省略する。
【００５２】
谷線Ｌ２１は、ｘ軸方向の負方向側に向かって突出するように湾曲した２つの曲線（円弧）ｂ１，ｂ２がこの順に接続されてなる。また、山線Ｌ２２は、ｘ軸方向の負方向側に向かって突出するように湾曲した２つの曲線（円弧）ｂ１１，ｂ１２がこの順に接続されてなる。
【００５３】
以上のようなフレキシブル基板１０ｃにおいても、フレキシブル基板１０と同様に、折り曲げられた状態を維持することができる。
【００５４】
（第４の変形例）
以下に、第４の変形例に係るフレキシブル基板１０ｄについて図面を参照しながら説明する。図１２は、第４の変形例に係るフレキシブル基板１０ｄの外観斜視図である。図１３は、図１２のフレキシブル基板１０ｄをｚ軸方向から平面視した図である。なお、図１２では、フレキシブル基板１０ｄは折り曲げられていない。
【００５５】
フレキシブル基板１０ｄは、谷線Ｌ２１及び山線Ｌ２２の形状においてフレキシブル基板１０ｃと相違する。よって、以下では、谷線Ｌ２１及び山線Ｌ２２について説明し、他の構成の説明については省略する。
【００５６】
谷線Ｌ２１は、ｘ軸方向の負方向側に向かって突出するように湾曲した曲線ｂ１とｘ軸方向の正方向側に向かって突出するように湾曲した曲線ｂ３がこの順に接続されてなる。また、山線Ｌ２２は、ｘ軸方向の負方向側に向かって突出するように湾曲した曲線ｂ１１とｘ軸方向の正方向側に向かって突出するように湾曲した曲線ｂ１３がこの順に接続されてなる。
【００５７】
以上のようなフレキシブル基板１０ｄにおいても、フレキシブル基板１０ｃと同様に、折り曲げられた状態を維持することができる。
【００５８】
（第５の変形例）
以下に、第５の変形例に係るフレキシブル基板１０ｅについて図面を参照しながら説明する。図１４は、第５の変形例に係るフレキシブル基板１０ｅの外観斜視図である。図１５は、図１４のフレキシブル基板１０ｅをｚ軸方向から平面視した図である。なお、図１５では、フレキシブル基板１０ｅは折り曲げられていない。
【００５９】
フレキシブル基板１０ｅは、誘電体素体１２に孔Ｏが設けられている点において、フレキシブル基板１０ａと相違する。また、谷線Ｌ２１及び山線Ｌ２２は、孔Ｏによって分断されている。
【００６０】
以上のようなフレキシブル基板１０ｅにおいても、フレキシブル基板１０ａと同様に、折り曲げられた状態を維持することができる。
【００６１】
（第６の変形例）
以下に、第６の変形例に係るフレキシブル基板１０ｆについて図面を参照しながら説明する。図１６は、第６の変形例に係るフレキシブル基板１０ｆの外観斜視図である。図１７は、図１６のフレキシブル基板１０ｆをｚ軸方向から平面視した図である。なお、図１７では、フレキシブル基板１０ｆは折り曲げられていない。
【００６２】
フレキシブル基板１０ｆは、直線ａ１，ａ１１の位置において、フレキシブル基板１０ｅと相違する。フレキシブル基板１０ｆでは、直線ａ１，ａ１１が直線ａ２，ａ１２よりもｘ軸方向の正方向側にずれている。
【００６３】
以上のようなフレキシブル基板１０ｆにおいても、フレキシブル基板１０ｅと同様に、折り曲げられた状態を維持することができる。
【００６４】
（その他の実施形態）
本考案に係るフレキシブル基板は、フレキシブル基板１０，１０ａ〜１０ｆに限らず、その要旨の範囲内において変更可能である。
【００６５】
保護層１４は、スクリーン印刷によって形成されているが、フォトリソグラフィ工程によって形成されてもよい。
【００６６】
谷線Ｌ２１は、２本の直線ａ１，ａ２、又は、４本の直線ａ１〜ａ４からなっているが、谷線Ｌ２１の構成はこれに限らない。谷線Ｌ２１は、互いに平行ではない２本の直線を含む２本以上の直線からなっていればよい。フレキシブル基板は、谷線Ｌ２１が互いに平行ではない２本の直線を含んでさえいれば、折り曲げられた状態を維持することが可能である。
【００６７】
同様に、山線Ｌ２２は、２本の直線ａ１１，ａ１２、又は、４本の直線ａ１１〜ａ１４からなっているが、山線Ｌ２２の構成はこれに限らない。山線Ｌ２２は、互いに平行ではない２本の直線を含む２本以上の直線からなっていればよい。フレキシブル基板は、山線Ｌ２２が互いに平行ではない２本の直線を含んでさえいれば、折り曲げられた状態を維持することが可能である。
【００６８】
なお、フレキシブル基板１０，１０ａ〜１０ｆは、送受信回路であるとしたが、線状の高周波信号線路であってもよい。
【００６９】
また、信号線７４は、谷線Ｌ２１及び山線Ｌ２２と交差しているが、谷線Ｌ２１及び山線Ｌ２２と交差していなくてもよい。
【００７０】
また、フレキシブル基板１０，１０ａ〜１０ｆにおいて、谷線Ｌ２１又は山線Ｌ２２のいずれか一方のみが設けられていてもよい。
【００７１】
また、誘電体素体１２は、積層体ではなく１層のシートであってもよい。
【００７２】
また、誘電体素体１２は、例えば、磁性体シートとからなる磁性体素体であってもよい。
【産業上の利用可能性】
【００７３】
以上のように、本考案は、フレキシブル基板に有用であり、特に、折り曲げられた状態を維持できる点において優れている。
【符号の説明】
【００７４】
Ｌ２１  谷線
Ｌ２２  山線
１０，１０ａ〜１０ｆ  フレキシブル基板
１２  誘電体素体
１８ａ，１８ｂ  誘電体シート
７０  アンテナ部
７２  接続部
７４  信号線
【図１】
0003188816.tif 000003
【図２】
0003188816.tif 000004
【図３】
0003188816.tif 000005
【図４】
0003188816.tif 000006
【図５】
0003188816.tif 000007
【図６】
0003188816.tif 000008
【図７】
0003188816.tif 000009
【図８】
0003188816.tif 000010
【図９】
0003188816.tif 000011
【図１０】
0003188816.tif 000012
【図１１】
0003188816.tif 000013
【図１２】
0003188816.tif 000014
【図１３】
0003188816.tif 000015
【図１４】
0003188816.tif 000016
【図１５】
0003188816.tif 000017
【図１６】
0003188816.tif 000018
【図１７】
0003188816.tif 000019
【手続補正書】
【提出日】平成25年11月28日(2013.11.28)
【手続補正１】
【補正対象書類名】実用新案登録請求の範囲
【補正対象項目名】全文
【補正方法】変更
【補正の内容】
【実用新案登録請求の範囲】
【請求項１】
可撓性を有するシート状の素体と、
前記素体に設けられている導体と、
を備えており、
前記素体は、曲線からなる折れ線又は互いに平行ではない２本の直線を含む２本以上の直線からなる折れ線において折り曲げられていること、
を特徴とするフレキシブル基板。
【請求項２】
前記素体は、熱可塑性樹脂により作製されていること、
を特徴とする請求項１に記載のフレキシブル基板。
【請求項３】
前記素体には、孔が設けられており、
前記折れ線は、前記孔により分断されていること、
を特徴とする請求項１又は請求項２のいずれかに記載のフレキシブル基板。
【手続補正２】
【補正対象書類名】明細書
【補正対象項目名】０００６
【補正方法】変更
【補正の内容】
【０００６】
本考案の一形態に係るフレキシブル基板は、可撓性を有するシート状の素体と、前記素体に設けられている導体と、を備えており、前記素体は、曲線からなる折れ線又は互いに平行ではない２本の直線を含む２本以上の直線からなる折れ線において折り曲げられていること、を特徴とする。